(57)【要約】    【課題】被読取媒体の画像を読み取る画像読取部と、被記録媒体に画像記録を行う画像記録部とを備えた多機能装置の小型化及び薄型化を実現できる手段を提供する。    【解決手段】原稿の画像を読み取るスキャナ部３と、記録用紙に画像記録を行うプリンタ部２とを備えてなる多機能装置１であって、スキャナ部３とプリンタ部２とが、スキャナ部３を上側にして上下に配置され、且つ装置全体の外形が平面視において略正方形であり、装置上面の正面側に、スキャナ部３及びプリンタ部２に関する指令を入力するための操作キー１０と、スキャナ部３及びプリンタ部２に関する情報を表示する液晶表示部１１とを備えてなる操作パネル９が設けられたものである。【選択図】  図１
2007036605.tif 000002
【特許請求の範囲】
【請求項１】
被読取媒体の画像を読み取る画像読取部と、被記録媒体に画像記録を行う画像記録部とを備えてなる多機能装置であって、
上記画像読取部と上記画像記録部とが、画像読取部を上側にして上下に配置され、且つ装置全体の外形が平面視において略正方形であり、
装置上面の正面側に、上記画像読取部及び上記画像記録部に関する指令を入力するための操作キーと、上記画像読取部及び上記画像記録部に関する情報を表示する表示部とを備えてなる操作パネルが設けられたものである多機能装置。
【請求項２】
上記操作キーは、上記表示部の周囲に配置されたものである請求項１に記載の多機能装置。
【請求項３】
上記操作キーは、上記表示部の側方に、該表示部の側縁に沿って一列に配置されたものである請求項１に記載に多機能装置。
【請求項４】
上記表示部は、上記各操作キーに近接する領域に、各操作キーにより入力され得る指令を各操作キーに関連づけて表示するものである請求項２又は３に記載の多機能装置。
【請求項５】
上記表示部は、装置正面側を軸として操作パネルに対して起伏するように回動可能なものである請求項１から４のいずれかに記載の多機能装置。
【請求項６】
上記表示部は、上記操作パネルの幅方向の中央に配置されたものである請求項１から５のいずれかに記載の多機能装置。
【請求項７】
上記画像読取部は、長方形の被読取媒体の長手方向を装置の幅方向にして、静止姿勢の該被読取媒体に対してイメージセンサを走査することにより画像読取りを行うものであり、
上記画像記録部は、長方形の被記録媒体の長手方向を装置の奥行き方向にして、該被記録媒体が反転するようにＵターン搬送される間に、該被記録媒体に対して記録ヘッドを走査することにより画像記録を行うものである請求項１から６のいずれかに記載の多機能装置。
【発明の詳細な説明】
【技術分野】
【０００１】
本発明は、被読取媒体の画像を読み取る画像読取部と、被記録媒体に画像記録を行う画像記録部とを備えてなる多機能装置に関する。
【背景技術】
【０００２】
従来より、プリンタ機能やスキャナ機能、コピー機能、ファクシミリ機能等の複数の機能を一体的に備えた装置が実用化されている。このように複数の機能を備えた装置は、一般に多機能装置（Multi Function Device）と呼ばれる。
【０００３】
多機能装置には、プリンタ機能やコピー機能、ファクシミリ機能等を実現するために、記録用紙に画像記録を行う画像記録部が設けられている。また、多機能装置には、スキャナ機能やコピー機能を実現するために、原稿の画像を読み取る画像読取部が設けられている。
【０００４】
プリンタ機能を実現する際には、多機能装置は、コンピュータ等から送信されたデータに基づいて画像記録部を動作させて、該データに基づく画像や文書を記録用紙に記録する。スキャナ機能を実現する際には、多機能装置は、画像読取部を動作させて、所望の原稿の画像を読み取って画像データに変換する。変換された画像データは、コンピュータ等に送信されたり、記録メディアに書き込まれる。コピー機能を実現する際には、多機能装置は、画像読取部を動作させて、所望の原稿の画像を読み取って画像データに変換し、さらに画像記録部を動作させて、該画像データに基づく画像を記録用紙に記録する。ファクシミリ機能を実現する際には、多機能装置は、画像読取部を動作させて、所望の原稿の画像を読み取って画像データに変換し、該画像データをモデム、ＮＣＵ及び電話線を通じて送信する。また、多機能装置は、モデム、ＮＣＵ及び電話線を通じて受信したファクシミリデータを、画像記録部を動作させて記録用紙に記録する。
【０００５】
また、画像読取部には、各種機能における指令や設定を入力するために操作パネルが設けられている。操作パネルは、複数の操作キーと表示部とから実現されている。使用者は、表示部に表示された案内や設定を確認しながら操作キーを操作して、多機能装置の各種機能を使用する。このような多機能装置には、設置スペースを小さくするために、小型化及び薄型化の要望がある（例えば、特許文献１参照）。
【０００６】
【特許文献１】特開２００５−８０１２９号公報
【発明の開示】
【発明が解決しようとする課題】
【０００７】
前述したような画像読取部及び画像記録部を有する多機能装置では、操作の便宜上、装置の上側に画像読取部を配置し、装置の下側に画像記録部を配置する構成が採用されている。また、操作パネルは、操作キーの操作性や表示部の視認性を考慮すると、装置の上面に配置されていることが望ましい。また、多機能装置により実現される機能が多様化するにつれて、多機能装置の操作が煩雑になるとともに操作キーが増えている。さらに、表示部の視認性を向上するために表示部が大型化されている。これらにより、操作パネルに必要なスペースが大きくなっている。
【０００８】
本発明は、これらの点に鑑みてなされたものであり、被読取媒体の画像を読み取る画像読取部と、被記録媒体に画像記録を行う画像記録部とを備えた多機能装置の小型化及び薄型化を実現できる手段を提供することを目的する。
【０００９】
また、本発明の他の目的は、操作キーを効率よく配置して操作パネルの面積を小さくするとともに、操作性を向上することを目的とする。
【００１０】
また、本発明のさらに他の目的は、操作パネルにおける表示部の視認性を向上させることを目的とする。
【課題を解決するための手段】
【００１１】
(1)本発明は、被読取媒体の画像を読み取る画像読取部と、被記録媒体に画像記録を行う画像記録部とを備えてなる多機能装置であって、上記画像読取部と上記画像記録部とが、画像読取部を上側にして上下に配置され、且つ装置全体の外形が平面視において略正方形であり、装置上面の正面側に、上記画像読取部及び上記画像記録部に関する指令を入力するための操作キーと、上記画像読取部及び上記画像記録部に関する情報を表示する表示部とを備えてなる操作パネルが設けられたものである。
【００１２】
画像読取部及び画像記録部は、画像読取部を上側にして上下に配置される。画像読取りの際には、画像読取り毎に、画像読取部の所定の位置に被読取媒体がセットされる。画像記録の際には、給紙トレイ等に所定枚数が予めセットされた被記録媒体が用いられる。したがって、画像読取部を上側に配置することにより、被読取媒体のセットが容易になる。多機能装置は、装置全体の外形が平面視において略正方形となるように構成されている。操作パネルには、操作キー及び表示部が設けられている。使用者は、画像読取りや画像記録の際に、操作キーを用いて所望の入力を行い、また、表示部の表示を確認する。操作パネルが装置上面の正面側に設けられることにより、操作キーによる入力作業や表示部の表示確認が容易になる。
【００１３】
(2)また、上記操作キーは、上記表示部の周囲に配置されたものであってもよい。これにより、表示部の周囲のスペースを有効利用できる。
【００１４】
(3)また、上記操作キーは、上記表示部の側方に、該表示部の側縁に沿って一列に配置されたものであってもよい。これにより、表示部の側方のスペースを有効利用できる。
【００１５】
(4)また、上記表示部は、上記各操作キーに近接する領域に、各操作キーにより入力され得る指令を各操作キーに関連づけて表示するものであってもよい。これにより、使用者は、操作キーを押下することにより入力され得る指令を表示部の表示により認識することができる。
【００１６】
(5)また、上記表示部は、装置正面側を軸として操作パネルに対して起伏するように回動可能なものであってもよい。表示部が操作パネルから起立されることにより、装置正面側からの表示部の視認性が向上する。表示部が操作パネルに倒伏されることにより、装置上面側からの表示部の視認性が向上する。
【００１７】
(6)また、上記表示部は、上記操作パネルの幅方向の中央に配置されたものであってもよい。これにより、表示部の両側に操作キーを配置することができる。また、操作キーの配置に対する表示部の位置のバランスがよくなる。
【００１８】
(7)また、上記画像読取部は、長方形の被読取媒体の長手方向を装置の幅方向にして、静止姿勢の該被読取媒体に対してイメージセンサを走査することにより画像読取りを行うものであり、上記画像記録部は、長方形の被記録媒体の長手方向を装置の奥行き方向にして、該被記録媒体が反転するようにＵターン搬送される間に、該被記録媒体に対して記録ヘッドを走査することにより画像記録を行うものであってもよい。
【００１９】
画像読取部においては、長方形の被読取媒体の長手方向を装置の幅方向にして画像読取りを行い、画像記録部においては、長方形の被記録媒体の長手方向を装置の奥行き方向にしてＵターン搬送を行うことにより、平面視が略正方形の装置の設置面積を小さくすることができる。また、装置の正面側に操作パネルを配置するためのスペースが形成され、スペースを有効活用して、装置全体の小型化が実現される。また、装置の平面視が略正方形であるため、梱包が容易になってコストを抑えることもできる。
【発明の効果】
【００２０】
本多機能装置によれば、画像読取部及び画像記録部を、画像読取部を上側にして上下に配置したので、被読取媒体のセットが容易になり、操作性が向上される。また、装置全体の外形が平面視において略正方形となるように構成され、装置上面の正面側に操作パネルが設けられることにより、操作キーによる入力作業や、表示部の表示確認が容易になり、操作性が向上される。また、装置の小型化が実現される。また、装置の平面視が略正方形であるため、梱包が容易になってコストを抑えることができる。
【発明を実施するための最良の形態】
【００２１】
以下、適宜図面を参照して本発明の実施形態を説明する。
図１は、本発明の実施の形態に係る多機能装置１の外観構成を示すものである。本多機能装置１は、下部にプリンタ部（画像記録部）２を、上部にスキャナ部３（画像読取部）を一体的に備えたＭＦＤ（Multi Function Device）であり、プリンタ機能、スキャナ機能、コピー機能及びファクシミリ機能を有する。
【００２２】
多機能装置１は、主に不図示のコンピュータと接続されて、該コンピュータから送信された画像データや文書データに基づいて、記録用紙に画像や文書を記録するものである。さらに、多機能装置１は、デジタルカメラ等の外部機器と接続されてデジタルカメラから出力される画像データを記録用紙に記録したり、メモリカード等の各種記録媒体を装填して、該記録媒体に記録された画像データ等を記録用紙に記録することが可能である。また、以下に説明する多機能装置１の構成は、本発明に係る画像記録装置の一例であり、本発明の要旨を変更しない範囲で構成を適宜変更できることは当然である。
【００２３】
（プリンタ部）
以下、プリンタ部２の構成について説明する。図１に示すように、多機能装置１の正面側には開口４が形成されており、該開口４を通じて、給紙トレイ２０及び排紙トレイ２１が多機能装置１に装着される。なお、図１，図４，図１０，図１２では、給紙トレイ２０及び排紙トレイ２１が外された状態の多機能装置１を示している。
【００２４】
給紙トレイ２０には、Ａ４サイズやＢ５サイズ等の所望のサイズの記録用紙（被記録媒体）が収容される。図２に示すように、給紙トレイ２０が多機能装置１に装着されることにより、給紙トレイ２０に収容された記録用紙は、その長方形の長手方向が多機能装置１の奥行き方向になる。また、排紙トレイ２１は、給紙トレイ２０に支持されて、給紙トレイ２０の上方に配置される。給紙トレイ２０と排紙トレイ２１とは、上下二段となって多機能装置１に装着される。
【００２５】
多機能装置１に装着された給紙トレイ２０の奥側には、分離傾斜板２２が配設されている。分離傾斜板２２は、給紙トレイ２０から繰り出された記録用紙を分離して上方へ案内するものである。
【００２６】
分離傾斜板２２の上方には、搬送路２３が形成されている。搬送路２３は、分離傾斜板２２の上側から上方且つ多機能装置１の正面側へ曲がって、装置の背面側から正面側へ延出され、さらに、画像記録部２４の下側を通過して排紙トレイ２１へ通じている。給紙トレイ２０から繰り出された記録用紙は、搬送路２３により下方から上方へＵターンするように案内されて画像記録部２４に至る。該記録用紙は、画像記録部２４により画像記録が行われた後、排紙トレイ２１に排出される。
【００２７】
給紙トレイ２０の上側には、給紙ローラ２５が設けられている。給紙ローラ２５は、給紙トレイ２０上に積載された記録用紙を１枚ずつ分離して搬送路２３へ供給するものである。給紙ローラ２５は、給紙トレイ２０に接離可能に上下動する給紙アーム２６の前端に軸支されている。給紙ローラ２５は、複数のギアが噛合されてなる駆動伝達機構２７により、ＬＦモータ１０８（図８参照）の駆動が伝達されて回転する。
【００２８】
給紙アーム２６は、基端側を軸として上下方向に揺動可能に配設されている。給紙アーム２６は、装置に給紙トレイ２０が装着された状態では、給紙ローラ２５を給紙トレイ２０に圧接させるように下側に降下する。給紙アーム２６は、給紙トレイ２０を装置から外す場合に、バネの付勢力等により上側へ跳ね上がる。給紙アーム２６が下側へ下降すると、その先端に軸支された給紙ローラ２５が給紙トレイ２０上の記録用紙に圧接する。その状態で、給紙ローラ２５が回転すると、給紙ローラ２５のローラ面と記録用紙との間の摩擦力で最上位置の記録用紙が分離傾斜板２２へ送り出される。該記録用紙は、その前端が分離傾斜板２２に当接して上方へ案内され、搬送路２３へ送り込まれる。給紙ローラ２５によって最上位置の記録用紙が送り出される際に、その直下の記録用紙が摩擦や静電気の作用によって共に送り出されたとしても、該記録用紙は分離傾斜板２２に当接することにより制止される。
【００２９】
搬送路２３は、画像記録部２４等が配設されている箇所以外は、所定間隔で対向する外側ガイド面と内側ガイド面とから構成されている。例えば、多機能装置１の背面側の搬送路２３は、外側ガイド面が多機能装置１のフレームと一体に形成され、内側ガイド面は、ガイド部材２８がフレーム内に固定されることにより構成されている。搬送路２３の所定箇所、特に搬送路２３が曲がっている箇所には、搬送コロ２９が設けられている。搬送コロ２９は、外側ガイド面又は内側ガイド面からローラ面を露出するようにして、搬送路２３の幅方向を軸方向として回転自在に設けられている。搬送コロ２９によって、搬送路２３が曲がっている箇所においてガイド面に接触する記録用紙の搬送が円滑となる。
【００３０】
画像記録部２４は、記録ヘッド３０を搭載して主走査方向へ往復移動する走査キャリッジ３１を備えている。記録ヘッド３０には、インクタンク３２（図３参照）からインクチューブ３３を通じてシアン（Ｃ）・マゼンタ（Ｍ）・イエロー（Ｙ）・ブラック（Ｂｋ）の各色インクが供給される。記録ヘッド３０は、その下面に設けられたノズルから、各インクを微小なインク滴として吐出する。走査キャリッジ３１が往復動することにより、記録ヘッド３０が記録用紙に対して走査され、プラテン３４上を搬送される記録用紙に画像記録が行われる。
【００３１】
図３に示すように、画像記録部２４が配置される搬送路２３の上側には、一対のガイドレール３５，３６が配設されている。ガイドレール３５，３６は、記録用紙の搬送方向に隔てて、搬送路２３の幅方向に延設されている。走査キャリッジ３１は、ガイドレール３５，３６を跨ぐようにして摺動可能に設けられている。記録用紙の搬送方向の上流側に配設されたガイドレール３５は、搬送路２３の幅方向の長さが走査キャリッジ３１の走査幅より長い平板状のものである。ガイドレール３５の上面が、走査キャリッジ３１の上流側の端部を摺動自在に担持している。
【００３２】
記録用紙の搬送方向の下流側に配設されたガイドレール３６は、搬送路２３の幅方向の長さがガイドレール３５とほぼ同じ長さの平板状のものである。ガイドレール３６の上面が、走査キャリッジ３１の上流側の端部を摺動自在に担持している。ガイドレール３６の搬送方向の上流側の端部３７は、上方へ向かって略直角に曲折されている。走査キャリッジ３１は、ガイドレール３６の端部３７を不図示の一対のローラにより狭持している。これにより、走査キャリッジ３１は、ガイドレール３５，３６上に摺動自在に担持され、ガイドレール３６の端部３７を基準として、搬送路２３の幅方向に往復移動する。なお、走査キャリッジ３１がガイドレール３５，３６の上面と接触する部位には、摩擦を低減するための摺動部材が適宜設けられる。
【００３３】
ガイドレール３６の上面には、ベルト駆動機構３８が配設されている。ベルト駆動機構３８は、搬送路２３の幅方向の両端付近にそれぞれ設けられた駆動プーリ３９と受動プーリ４０と間に、内側に歯が設けられた無端環状のタイミングベルト４１が張架されてなるものである。駆動プーリ３９の軸にはＣＲモータ１０７（図８参照）から駆動力が入力される。駆動プーリ３９の回転により、タイミングベルト４１が周運動する。なお、タイミングベルト４１は無端環状のもののほか、有端のベルトの両端部を走査キャリッジ３１に固着するものを用いてもよい。
【００３４】
走査キャリッジ３１は、タイミングベルト４１に固着されている。タイミングベルト４１の周運動により、走査キャリッジ３１は、端部３７を基準としてガイドレール３５，３６上を往復移動する。走査キャリッジ３１には、記録ヘッド３０が搭載されている。したがって、記録ヘッド３０は、走査キャリッジ３１とともに搬送路２３の幅方向を主走査方向として往復移動可能である。ガイドレール３６には、端部３７に沿ってリニアエンコーダのエンコーダストリップ４２が配設されている。リニアエンコーダは、フォトインタラプタによりエンコーダストリップ４２を検出する。リニアエンコーダの検出信号に基づいて、走査キャリッジ３１の往復移動が制御される。
【００３５】
図２に示すように、搬送路２３の下側には、記録ヘッド３０と対向してプラテン３４が配設されている。プラテン３４は、走査キャリッジ３１の往復移動範囲のうち、記録用紙が通過する中央部分に渡って配設されている。プラテン３４の幅は、搬送可能な記録用紙の最大幅より十分に大きいものであり、記録用紙の両端は常にプラテン３４の上を通過する。
【００３６】
図３に示すように、記録ヘッド３０による画像記録範囲外、すなわちプラテン３４の両側の記録用紙が通過しない範囲には、パージ機構４３及び廃インクトレイ４４が配設されている。パージ機構４３は、記録ヘッド３０のノズル等からインクとともに気泡や異物を吸引除去するものである。パージ機構４３は、記録ヘッド３０のノズル面を覆うキャップ４５を備える。キャップ４５には、ポンプ機構が接続されている。また、キャップ４５は、移動機構により記録ヘッド３０のノズル面に接離される。記録ヘッド３０の気泡等の吸引除去を行う際には、記録ヘッド３０がキャップ４５上に位置するように走査キャリッジ３１が移動される。その状態でキャップ４５が上方へ移動して記録ヘッド３０の下面のノズルを密閉するように密着する。そして、キャップ４５と連結されたポンプにより記録ヘッド３０のノズルからインクが吸引される。
【００３７】
廃インクトレイ４４は、走査キャリッジ３１の画像記録範囲外であってパージ機構４３の反対側に配設されている。廃インクトレイ４４は、記録ヘッド３０のインクの空吐出を受けるものである。この空吐出は、フラッシングと呼ばれる。パージ機構４３及び廃インクトレイ４４からなるメンテナンスユニットにより、記録ヘッド３０内の気泡や混色インクの除去等のメンテナンスが行われる。
【００３８】
インクタンク３２は、プリンタ部２の正面右側の筐体内に設けられたインクタンク収容部４６に収容されている。インクタンク３２は、装置内において、記録ヘッド３０を搭載する走査キャリッジ３１とは別途に設けられている。インクタンク３２から走査キャリッジ３１へは、インクチューブ３３を通じてインクが供給される。
【００３９】
インクタンク３２は、詳細には、シアン（Ｃ）・マゼンタ（Ｍ）・イエロー（Ｙ）・ブラック（Ｂｋ）の各色インクを貯蔵する４個のインクタンク３２Ｃ，３２Ｍ，３２Ｙ，３２Ｋである。各インクタンク３２Ｃ，３２Ｍ，３２Ｙ，３２Ｋは、装置筐体内に設けられたインクタンク収容部４６の所定の位置にそれぞれ装填されている。各インクタンク３２Ｃ，３２Ｍ，３２Ｙ，３２Ｋは、合成樹脂製の筐体内に各色インクが充填されたカートリッジ式のものである。各インクタンク３２Ｃ，３２Ｍ，３２Ｙ，３２Ｋは、インクタンク収容部４６の上方からそれぞれ着脱可能である。
【００４０】
インクタンク収容部４６に装填された各インクタンク３２Ｃ，３２Ｍ，３２Ｙ，３２Ｋから記録ヘッド３０へは、各色毎に独立したインクチューブ３３により各色インクが供給される。各インクチューブ３３Ｃ，３３Ｍ，３３Ｙ，３３Ｋは、合成樹脂製のチューブであり、走査キャリッジ３１の走査に応じて撓むような可撓性を有する。各インクチューブ３３Ｃ，３３Ｍ，３３Ｙ，３３Ｋは、インクタンク収容部４６の各インクタンク収容位置に設けられた各接合部に、その一端側の開口がそれぞれ接続されている。インクチューブ３３Ｃは、上記インクタンク３２Ｃに対応しておりシアン（Ｃ）のインクを供給するためのものである。同様に、インクチューブ３３Ｍ，３３Ｙ，３３Ｋは、それぞれ上記インクタンク３２Ｍ，３２Ｙ，３２Ｋに対応しており、それぞれマゼンタ（Ｍ）、イエロー（Ｙ）、ブラック（Ｂｋ）のインクを供給するためのものである。
【００４１】
インクタンク収容部４６から導出された各インクチューブ３３Ｃ，３３Ｍ，３３Ｙ，３３Ｋは、装置の幅方向に沿って中央付近まで引き出されて、装置フレーム等の適当な部材に一旦固定されている。そして、該固定部から走査キャリッジ３１までの部分は、装置フレーム等に固定されておらず、走査キャリッジ３１の往復移動に追従して姿勢変化する。すなわち、走査キャリッジ３１が往復移動方向の一端（図３左側）へ移動するに従い、各インクチューブ３３Ｃ，３３Ｍ，３３Ｙ，３３Ｋは、Ｕ字形状の湾曲部分の曲げ半径が小さくなるように撓みながら、走査キャリッジ３１の移動方向へ移動する。一方、走査キャリッジ３１が往復移動方向の他端（図３右側）へ移動するに従い、各インクチューブ３３Ｃ，３３Ｍ，３３Ｙ，３３Ｋは、湾曲部分の曲げ半径が大きくなるように撓みながら、走査キャリッジ３１の移動方向へ移動する。
【００４２】
図２に示すように、画像記録部２４の上流側には、一対の搬送ローラ４７及びピンチローラ４８が設けられている。搬送ローラ４７及びピンチローラ４８は、搬送路２３を搬送されている記録用紙を狭持してプラテン３４上へ搬送する。一方、画像記録部２４の下流側には、一対の排紙ローラ４９及び拍車ローラ５０が設けられている。排紙ローラ４９及び拍車ローラ５０は、記録済みの記録用紙を狭持して搬送する。搬送ローラ４７及び排紙ローラ４９は、ＬＦモータ１０８（図８参照）から駆動力が伝達されて、所定の改行幅で間欠駆動する。搬送ローラ４７及び排紙ローラ４９の回転は同期されている。ロータリーエンコーダが、搬送ローラ４７に設けられたエンコーダディスク５１をフォトインタラプタで検出し、ロータリーエンコーダの検出信号に基づいて、搬送ローラ４７及び排紙ローラ４９の回転が制御される。
【００４３】
ピンチローラ４８は、搬送ローラ４７に所定の押圧力で押圧するように付勢されて回転自在に設けられている。搬送ローラ４７とピンチローラ４８との間に記録用紙が進入した場合には、ピンチローラ４８は記録用紙の厚み分だけ退避して該記録用紙を搬送ローラ４７とともに狭持する。これにより、搬送ローラ４７の回転力が確実に記録用紙へ伝達される。拍車ローラ５０も排紙ローラ４９に対して同様に設けられたものであるが、記録済みの記録用紙と圧接するので、記録用紙に記録された画像を劣化させないようにローラ面が拍車状に凹凸されている。
【００４４】
搬送ローラ４７及びピンチローラ４８に狭持された記録用紙は、所定の改行幅でプラテン３４上を間欠して搬送される。その改行毎に記録ヘッド３０が走査されて、記録用紙の前端側から画像記録が行われる。画像記録が行われた記録用紙の前端側は、排紙ローラ４９及び拍車ローラ５０に狭持される。つまり、記録用紙は前端側を排紙ローラ４９及び拍車ローラ５０に狭持され、後端側を搬送ローラ４７及びピンチローラ４８に狭持された状態で所定の改行幅で間欠して搬送され、改行毎に記録ヘッド３０により画像記録が行われる。さらに記録用紙が搬送されると、記録用紙の後端が搬送ローラ４７及びピンチローラ４８を通過して、これらによる狭持が開放される。つまり、記録用紙は、排紙ローラ４９及び拍車ローラ５０に狭持されて所定の改行幅で間欠して搬送され、改行毎に記録ヘッド３０により画像記録が行われる。記録用紙の所定領域に画像記録を行った後は、排紙ローラ４９が連続的に回転駆動される。これにより、排紙ローラ４９及び拍車ローラ５０により狭持された記録用紙が排紙トレイ２１へ排出される。
【００４５】
図３に示すように、装置正面側には制御基板５２が配設されている。制御基板５２から記録ヘッド３０へはフラットケーブル５３を通じて記録用信号等の伝送が行われる。フラットケーブル５３は、電気信号を伝送する導体をポリエステルフィルム等の合成樹脂フィルムで覆って絶縁した薄帯状のものである。フラットケーブル５３により、制御基板５２と記録ヘッド３０の制御基板（不図示）とが電気的に接続されている。フラットケーブル５３は、走査キャリッジ３１から往復移動方向へ導出され、上下方向に略Ｕ字形状に曲折されている。この略Ｕ字形状の部分は、他の部材に固定されておらず、走査キャリッジ３１の往復移動に追従して姿勢変化する。
【００４６】
（スキャナ部）
以下、スキャナ部３の構成について詳述する。
図１、図４及び図５に示すように、スキャナ部３は、ＦＢＳ（Flatbed Scanner）として機能する原稿載置台５に対して、自動原稿搬送機構（ＡＤＦ：Auto Document Feeder、以下「ＡＤＦ」という。）６を備えた原稿カバー７が、背面側の蝶番を介して開閉自在に取り付けられてなる。原稿載置台５は、多機能装置１の筐体であり、装置上面の一部を構成している。また、原稿カバー７も、装置の上面の一部を構成している。なお、本実施形態においては、ＡＤＦ６の構造及び機能は直接関係がないので、図４においては、ＡＤＦ６用の原稿搬送用開口（原稿画像面露出用開口）は省略されている。
【００４７】
図４に示すように、原稿載置台５の上面にはプラテンガラス６０が配設されており、図１に示すように原稿カバー７が閉じられた状態では、プラテンガラス６０は原稿カバー７に覆われる。この状態で、原稿カバーが装置上面の一部となる。原稿カバー７の下面には、プラテンガラス６０上に載置された原稿を押さえるために、スポンジ及び白板等からなる押さえ部材６２が配設されている。図５に示すように、原稿載置台５の内部には、画像読取ユニット６１が内蔵されている。スキャナ部３をＦＢＳとして使用する場合は、原稿カバー７を開いてプラテンガラス６０上に原稿を載置する。プラテンガラス６０は、Ａ４サイズ以下の原稿が載置可能であり、長方形の原稿の長手方向を多機能装置１の幅方向としてプラテンガラス６０上に載置される。そして、原稿カバー７が閉じられて、原稿がプラテンガラス６０上に固定される。画像読取ユニット６１がプラテンガラス６０に沿って走査されることにより、ＦＢＳによる原稿の画像読取りが行われる。
【００４８】
プラテンガラス６０は、スキャナ部３をＦＢＳとして使用する場合に原稿を載置するものであり、例えば透明なガラス板である。プラテンガラス６０の一端側は、原稿搬送ローラ９８（図８参照）の下方にまで至っており、ＡＤＦ６を用いて画像読取りを行う際の読取面をも構成している。
【００４９】
図５は、原稿載置台５の内部構成を示すものである。原稿載置台５の筐体の下フレーム６３内には、画像読取ユニット６１が配設されている。中央にプラテンガラス６０を露出するための開口が形成された上カバー７１（図６参照）が下フレーム６３に嵌合されて、原稿載置台５の筐体が構成される。下フレーム６３及び上カバー７１は共に合成樹脂製のものである。下フレーム６３は、底板を構成するベース部６４と、ベース部６４の周囲から起立した側壁６５と、画像読取ユニット６１が配設される部分と操作パネル９の基板等が配設される部分とを仕切る仕切板６６とが一体的に成形されたものである。なお、下フレーム６３には、さらに、プラテンガラス６０を支持するための支持リブや、各種部材をネジ止めするためのボス部、電気配線等のための貫通孔等が設けられているが、これらは原稿載置台５の実施態様に応じて適宜設計されるものなので、詳細な説明は省略する。
【００５０】
画像読取ユニット６１は、コンタクトイメージセンサ（Contact Image Sensor）６７、キャリッジ６８、ガイドシャフト６９、及びベルト駆動機構７０から構成されている。コンタクトイメージセンサ６７は、光源を発光させて原稿に光を照射し、原稿からの反射光をレンズにより光電変換素子に導き、光電変換素子が反射光強度に応じた電気信号を出力するいわゆる密着型のイメージセンサである。コンタクトイメージセンサ６７は、キャリッジ６８に搭載されて、プラテンガラス６０の下方を往復移動される。キャリッジ６８は、下フレーム６３の幅方向に渡って架設されたガイドシャフト６９と嵌合し、ベルト駆動機構７０により駆動されて、ガイドシャフト６９上を摺動するように移動される。キャリッジ６８が、コンタクトイメージセンサ６７をプラテンガラス６０に密着させるように搭載してガイドシャフト６９上を移動されることにより、コンタクトイメージセンサ６７がプラテンガラス６０と平行に移動される。
【００５１】
図６に示すように、キャリッジ６８は、その上側に担持するようにしてコンタクトイメージセンサ６７を搭載している。キャリッジ６８の下面には、ガイドシャフト６９を上方から跨ぐようにして嵌合するシャフト受け部７２が形成されている。シャフト受け部７２とガイドシャフト６９とが嵌合して、キャリッジ６８がガイドシャフト６９に担持され、ガイドシャフト６９の軸方向にキャリッジ６８が摺動自在となっている。シャフト受け部７２の側方には、ベルト掴持部７３が下方へ突設されている。ベルト掴持部７３が、ベルト駆動機構７０のタイミングベルト７４を掴むことにより、タイミングベルト７４とキャリッジ６８とが連結される。これにより、ベルト駆動機構７０からキャリッジ６８に駆動力が伝達されて、ガイドシャフト６９上をキャリッジ６８が移動する。
【００５２】
キャリッジ６８の内側には、バネ受け部７５が左右２箇所に形成されている。バネ受け部７５により位置決めされて、コンタクトイメージセンサ６７とキャリッジ６８との間にコイルバネ７６が介設されている。コイルバネ７６により、キャリッジ６８に搭載されたコンタクトイメージセンサ６７がプラテンガラス６０の下面に押し付けられるように密着される。コンタクトイメージセンサ６７の両端側には、コロ７７が設けられている。コロ７７により、プラテンガラス６０の下面に押し付けられたコンタクトイメージセンサ６７が、キャリッジ６８の移動に伴いプラテンガラス６０の下面に密着しながら円滑に移動する。
【００５３】
図７に示すように、ベルト駆動機構７０は、駆動プーリ７８と従動プーリ７９との間にタイミングベルト７４が巻架されて構成されている。タイミングベルト７４は、内側に歯が形成された無端ベルトである。駆動プーリ７８の軸には、ＣＲモータ１１２（図８参照）の回転が出力される。駆動プーリ７８の回転を受けて、タイミングベルト７４が周運動する。駆動プーリ７８は、下フレーム６３の左奥に配設されている。駆動プーリ７８に巻かれたタイミングベルト７４は、下フレーム６３の正面側へ延出され、ガイドシャフト６９の手前に配設された中間プーリ８０に巻かれて略直角に曲折し、ガイドシャフト６９に沿って下フレーム６３の右端まで延出され、該右端付近に配設された従動プーリ７９に巻かれることにより、Ｌ字状に架設されている。タイミングベルト７４の従動プーリ７９から中間プーリ８０の間の部分、すなわちガイドシャフト６９に沿った部分を、キャリッジ６８のベルト掴持部７３が掴む。これにより、タイミングベルト７４とキャリッジ６８とが連結される。なお、タイミングベルト７４には、無端ベルト以外に、ベルトの両端部がキャリッジ６８に固着された有端ベルトを用いることができることは言うまでもない。
【００５４】
図１に示すように、原稿カバー７には、原稿トレイ８１からＡＤＦ６内部に形成された原稿搬送路を経て原稿排出トレイ８３へ原稿を連続搬送するＡＤＦ６が備えられている。ＡＤＦ６による搬送過程において、原稿がプラテンガラス６０の読取面を通過し、読取面の下方に待機する画像読取ユニット６１が、該原稿の画像を読み取るようになっている。なお、本発明においてＡＤＦ６は任意の構成であり、スキャナ部３がＡＤＦ６を具備せず、ＦＢＳとしてのみ画像読取を行うものであってもよい。したがって、ＡＤＦ６の詳細な説明については省略する。
【００５５】
スキャナ部３をＦＢＳとして使用する場合には、キャリッジ６８がプラテンガラス６０の下方をプラテンガラス６０と平行に移動されて、キャリッジ６８に搭載されたコンタクトイメージセンサ８２がプラテンガラス６０上に載置された原稿の画像を読み取る。ＡＤＦ６を使用する場合には、キャリッジ６８がプラテンガラス６０の読取面の下方に移動して静止し、コンタクトイメージセンサ８２が読取面を通過する原稿の画像を読み取る。
【００５６】
なお、本実施の形態では、画像読取ユニット６１としてコンタクトイメージセンサ８２が用いられているが、コンタクトイメージセンサ８２に代えて、ＣＣＤ（Charge Coupled Device）のような縮小光学系のイメージセンサを用いても、本発明の効果が得られることは勿論である。
【００５７】
（制御部）
以下、上記プリンタ部２及びスキャナ部３の動作を制御する制御部について説明する。図８は、多機能装置１の制御部１００の構成を示している。制御部１００は、プリンタ部２及びスキャナ部３を含む多機能装置１の動作を制御するものである。制御部１００は、図に示すように、ＣＰＵ（Central Processing Unit）１０１、ＲＯＭ（Read Only Memory）１０２、ＲＡＭ（Random Access Memory）１０３、ＥＥＰＲＯＭ（Electrically Erasable and Programmable ROM）１０４を主とするマイクロコンピュータとして構成されており、バス１０５を介してＡＳＩＣ（Application Specific Integrated Circuit）１０６に接続されている。
【００５８】
ＲＯＭ１０２には、多機能装置１の各種動作を制御するためのプログラム等が格納されている。ＲＡＭ１０３は、ＣＰＵ１０１が上記プログラムを実行する際に用いる各種データを一時的に記録する記憶領域又は作業領域として使用される。
【００５９】
ＡＳＩＣ１０６は、ＣＰＵ１０１からの指令に従い、プリンタ部２のＣＲモータ１０７又はＬＦモータ１０８にそれぞれ通電する相励磁信号等を生成して、該信号をＣＲモータ１０７又はＬＦモータ１０８の駆動回路１０９，１１０に付与する。駆動回路１０９，１１０を介して駆動信号がＣＲモータ１０７又はＬＦモータ１０８に通電されることにより、ＣＲモータ１０７及びＬＦモータ１０８の回転制御が行われる。
【００６０】
駆動回路１０９は、プリンタ部２の走査キャリッジ３１に接続されたＣＲモータ１０７を駆動させるものである。駆動回路１０９は、ＡＳＩＣ１０６からの出力信号を受けて、ＣＲモータ１０７を回転するための電気信号を生成する。電気信号を受けたＣＲモータ１０７が回転し、ＣＲモータ１０７の回転力がベルト駆動機構３８を介して、走査キャリッジ３１へ伝達されることにより走査キャリッジ３１が走査される。
【００６１】
駆動回路１１０は、プリンタ部２の給紙ローラ２５、搬送ローラ４７、排紙ローラ４９及びパージ機構４３に接続されたＬＦモータ１０８を駆動させるものである。駆動回路１１０は、ＡＳＩＣ１０６からの出力信号を受けて、ＬＦモータ１０８を回転するための電気信号を生成する。電気信号を受けたＬＦモータ１０８が回転し、ＬＦモータ１０８の回転力がギアや駆動軸等からなる周知の駆動機構を介して、給紙ローラ２５、搬送ローラ４７、排紙ローラ４９及びパージ機構４３へ伝達される。
【００６２】
駆動回路１１１は、記録ヘッド３０から所定のタイミングでインクを記録用紙に対して選択的に吐出させるものである。駆動回路１１１は、ＣＰＵ６５から出力される駆動制御手順に基づいてＡＳＩＣ１０６において生成された出力信号を受けて、記録ヘッド３０を駆動制御する。
【００６３】
ＡＳＩＣ１０６には、プリンタ部２の搬送ローラ４７の回転量を検出するためのロータリーエンコーダ、走査キャリッジ３１の移動量を検出するためのリニアエンコーダ等が接続されている。これらロータリーエンコーダやリニアエンコーダの検出信号に基づいて、ＣＰＵ１０１がＡＳＩＣ１０６に指令を出力し、該指令に従ってＡＳＩＣ１０６がＣＲモータ１０７及びＬＦモータ１０８にそれぞれ通電する相励磁信号等を生成する。
【００６４】
ＡＳＩＣ１０６は、ＣＰＵ１０１からの指令に従い、スキャナ部３のＣＲモータ１１２又はＡＤＦ６のＬＦモータ１１３にそれぞれ通電する相励磁信号等を生成して、該信号をＣＲモータ１１２又はＬＦモータ１１３の駆動回路１１４，１１５に付与する。駆動回路１１４，１１５を介して駆動信号がＣＲモータ１１２又はＬＦモータ１１３に通電されることにより、ＣＲモータ１１２及びＬＦモータ１１３の回転制御が行われる。
【００６５】
駆動回路１１４は、スキャナ部３のキャリッジ６８に接続されたＣＲモータ１１２を駆動させるものである。駆動回路１１４は、ＡＳＩＣ１０６からの出力信号を受けて、ＣＲモータ１１２を回転するための電気信号を生成する。電気信号を受けたＣＲモータ１１２が回転し、ＣＲモータ１１２の回転力が周知の走査機構を介して、キャリッジ６８へ伝達されことによりキャリッジ６８が移動される。
【００６６】
駆動回路１１５は、ＡＤＦ６の搬送ローラ等の駆動部分に接続されたＬＦモータ１１３を駆動させるものである。駆動回路１１５は、ＡＳＩＣ１０６からの出力信号を受けて、ＬＦモータ１１３を回転するための電気信号を生成する。電気信号を受けたＬＦモータ１１３が回転し、ＬＦモータ１１３の回転力がギアや駆動軸等からなる周知の駆動機構を介して、ＡＤＦ６の搬送ローラ等へ伝達される。
【００６７】
ＡＳＩＣ１０６には、スキャナ部３において原稿の画像読取りを行うコンタクトイメージセンサ６７が接続されている。ＡＳＩＣ１０６は、ＣＰＵ１０１の指令に基づいて、コンタクトイメージセンサ６７の光源から光を照射するための電気信号や光電変換素子から画像データを出力するためのタイミング信号をコンタクトイメージセンサ６７に付与する。コンタクトイメージセンサ６７は、これら信号を受けて、所定のタイミングで原稿に光を照射し、光電変換素子により変換された画像データを出力する。
【００６８】
ＡＳＩＣ１０６には、多機能装置１に所望の指令を入力する操作キー１０を制御するパネルゲートアレイ１１６が接続されている。パネルゲートアレイ１１６は、操作キー１０の押下を検出して、所定のコード信号を出力する。このキーコードは、複数の操作キー１０に対応して割り当てられており、特に、液晶表示部（表示部）１１の周囲に配置された操作キー１０に対しては、液晶表示部１１の表示に関連して複数のキーコードが付与されている。ＣＰＵ１０１は、パネルゲートアレイ１１６から所定のキーコードを受信すると、所定のキー処理テーブルに従って、実行すべき制御処理を行う。キー処理テーブルは、キーコードと制御処理とを対応させてテーブル化したものであり、例えば、ＲＯＭ１０２に記憶されている。
【００６９】
ＡＳＩＣ１０６には、液晶表示部１１の画面表示を制御するＬＣＤコントローラ１１７が接続されている。ＬＣＤコントローラ１１７は、ＣＰＵ１０１の指令に基づいて、液晶表示部１１にプリンタ部２又はスキャナ部３の動作に関する情報を画面に表示させる。
【００７０】
また、ＡＳＩＣ１０６には、各種小型メモリカードが挿入されるスロット部８、コンピュータとパラレルケーブル又はＵＳＢケーブルを介してデータの送受信を行うためのパラレルインタフェース１１８及びＵＳＢインタフェース１１９が接続されている。さらに、ＡＳＩＣ１０６には、ファクシミリ機能を実現するためのＮＣＵ（Network Control Unit）１２０やＭＯＤＥＭ１２１が接続されている。
【００７１】
（操作パネル）
以下、多機能装置１の操作パネルについて説明する。図１に示すように、原稿載置台５の正面側には、操作パネル９が設けられている。操作パネル９は、各種操作キー１０と液晶表示部１１とを具備する。使用者は、操作パネル９を用いて、所望の指令を入力する。多機能装置１は、所定の入力を受けて所定の動作を行う。多機能装置１は、操作パネル９へ入力された指令のほか、コンピュータに接続されて該コンピュータからプリンタドライバやスキャナドライバ等を介して送信される指令によっても動作する。
【００７２】
多機能装置１の正面の左上部には、記録媒体である各種小型メモリカードを装填可能なスロット部８が設けられている。スロット部８に装填された小型メモリカードに記録された画像データを読み出してその画像データに関する情報を液晶表示部１１に表示させ、任意の画像をプリンタ部３により記録用紙に記録させることができる。このための入力は、操作パネル９から行われる。
【００７３】
図９に示すように、液晶表示部１１は、平面視が横長矩形であり、その縦寸法が操作パネル９の奥行き寸法より若干小さいものである。したがって、液晶表示部１１の奥側及び手前側には、操作パネル９に操作キー１０を配置するためのスペースがない。換言すれば、液晶表示部１１は、操作パネル９に配置可能な大きさで大型化されている。このような大型の液晶表示部１１を用いることにより、液晶表示部１１に表示された文字や画像等の視認性が向上する。
【００７４】
液晶表示部１１は、操作パネル９の幅方向の中央に配置されている。液晶表示部１１の幅寸法は、操作パネル９の幅寸法に比べて十分に小さい。したがって、液晶表示部１１の側方には、操作パネル９に操作キー１０を配置するためのスペースがある。液晶表示部１１を操作パネル９の中央に配置することにより、液晶表示部１１の左右両側に操作キー１０を配置することができる。これにより、操作キー１０の配置に対する液晶表示部１１の位置のバランスがよくなる。
【００７５】
操作キー１０は、液晶表示部１１の周囲に設けられた操作キー１０Ａ、操作パネル９の右端側に設けられた操作キー１０Ｂ、操作パネル９の左端側に設けられた操作キー１０Ｃの３つに大別される。
【００７６】
操作キー１０Ａは、液晶表示部１１の周囲であって、左右の両側方に液晶表示部１１の側縁に沿って各々一列に配置されている。このように、液晶表示部１１の左右両側に操作キー１０Ａを配置することにより、液晶表示部１１の側方のスペースを有効利用できる。
【００７７】
操作キー１０Ａは、ファクシミリモード、コピーモード、スキャンモード等の各モードを切り替えるためのモードキーであり、さらに各モードにおける各種設定を行うための設定キーも兼ねている。つまり、操作キー１０Ａには、複数の入力が割り当てられており、各操作キー１０Ａを押下することにより入力される内容は、液晶表示部１１に表示される。この操作キー１０Ａと液晶表示部１１の表示との関係は後述する。
【００７８】
操作キー１０Ｂは、多機能装置１の電源をオン／オフするための電源キー、制御部１００に登録された電話帳や短縮ダイヤルの検索、通話音量や警告音、入力確認音の音量の変更、各種設定を確定するためのナビゲーションキー、画像記録や画像読取りの開始を入力するためのスタートキー、各種処理の中断を入力するためのストップキー等を備えている。また、操作キー１０Ｃは、電話番号の入力等のためのダイヤルキー等を備えている。なお、操作キー１０Ｂ及び操作キー１０Ｃの種類は一例であり、本発明の操作キーがこれらに限定されないことは当然である。
【００７９】
液晶表示部１１は、図１に示すように、その表面と操作パネル９の表面とが同一面となるように、操作パネル９に倒伏する。この液晶表示部１１の姿勢を倒伏姿勢と呼ぶ。一方、液晶表示部１１は、図１０に示すように、操作パネル９に対して起立するように回動可能である。この液晶表示部１１の姿勢を起立姿勢と呼ぶ。液晶表示部１１が倒伏姿勢にされることにより、液晶表示部１１が操作パネル９の表面から突出することがなく、操作パネル９の外観が向上される。また、多機能装置１の上側からの液晶表示部１１の表示の視認性が向上される。一方、液晶表示部１１が起立姿勢とされることにより、多機能装置１の正面側からの液晶表示部１１の表示の視認性が向上される。
【００８０】
このような液晶表示部１１の回動は、液晶表示部１１に設けられた軸１２（図１１参照）が原稿載置台５に軸支されることにより実現される。液晶表示部１１は、所定の厚みの平板形状をなす筐体の内部に、液晶ディスプレイ（ＬＣＤ：Liquid Crystal Display）が表面側から視認可能に配設されてなる。図には示してないが、液晶表示部１１の裏面側からはフラットケーブルが延出され、該フラットケーブルが制御基板５２（図３参照）に接続されることにより、制御基板５２から電気信号を受けて所定の画面が液晶ディスプレイに表示される。
【００８１】
図１１に示すように、液晶表示部１１の筐体の側面には、軸１２が側方へ突設されている。この軸１２が原稿載置台５の操作パネル９の中央付近において軸支されることにより、液晶表示部１１が軸１２回りに回動可能になる。軸１２は、倒伏姿勢における装置正面側（図１１左側）であって厚み方向の下側の隅部付近から、水平方向（図１１手前側）に突出している。図には表れていないが、液晶表示部１１の対向する側面にも同様の軸１２が設けられている。
【００８２】
図１１に示すように、原稿載置台５に軸支された液晶表示部１１の軸１２の上側に嵌合するようにして、係合部材１３が配設されている。液晶表示部１１が原稿載置台５に軸支された状態において、係合部材１３は原稿載置台５に固定されている。係合部材１３には、軸１２の周方向に並ぶようにして、複数の係止爪１４が形成されている。液晶表示部１１には、その先端が、隣り合う係止爪１４間に合致するように山折り状に曲折された板バネ１５が突設されている。
【００８３】
図１１に示すように、液晶表示部１１が倒伏姿勢の場合には、板バネ１５は倒伏側端の係止爪１４と係合する。倒伏姿勢の液晶表示部１１を起立姿勢とするために回動させるには、板バネ１５の山折れ状の先端を、係止爪１４の先端より軸１２の径方向外側へ弾性変形させる必要がある。換言すれば、そのように板バネ１５を弾性変形させる力を液晶表示部１１に付与しなければ、液晶表示部１１は回動されない。これにより、倒伏姿勢の液晶表示部１１が回動方向へがたつくことが防止される。
【００８４】
使用者が、倒伏姿勢の液晶表示部１１の先端部分を持って起立させるように回動させれば、使用者が付与した回動力により、板バネ１５の先端は係止爪１４に沿って軸１２の径方向外側へ弾性変形する。そして、板バネ１５の先端が、倒伏側端の係止爪１４の先端を超えると、山折れ状に曲折された板バネ１５の先端は、その係止爪１４とそれに隣接する係止爪１４との間の谷間に係合するようにして、軸１２の径方向内側へ復元する。板バネ１５の先端が係止爪１４間の谷間に係合した状態から、液晶表示部１１を起立方向又は倒伏方向のいずれに回動させるにも、板バネ１５の山折れ状の先端を、係止爪１４の先端より軸１２の径方向外側へ弾性変形させる力を付与する必要がある。換言すれば、液晶表示部１１を使用者がさらに回動させない限り、液晶表示部１１は、板バネ１５の先端が係止爪１４間の谷間に係合した状態で、姿勢を維持する。
【００８５】
使用者が、さらに液晶表示部１１を回動させると、前述と同様に、板バネ１５の先端は係止爪１４に沿って軸１２の径方向外側へ弾性変形して、板バネ１５の先端が、所定の係止爪１４の先端を超えると、山折れ状の曲折された板バネ１５の先端は、その係止爪１４とそれに隣接する係止爪１４との間の谷間に係合するようにして、軸１２の径方向内側へ復元する。そして、液晶表示部１１を使用者がさらに回動させない限り、液晶表示部１１は、板バネ１５の先端が係止爪１４間の谷間に係合した状態で、その姿勢を維持する。このような係止爪１４と板バネ１５との係合により、所定の回動位置で液晶表示部１１の姿勢が維持される。つまり、液晶表示部１１を係止爪１４と板バネ１５が係合する所定の姿勢に仮固定することができる、所謂チルト機構が実現される。
【００８６】
図１２に示すように、原稿載置台５は、プリンタ部２を構成する装置下部に対して上側に開くように回動可能である。原稿載置台５は、プリンタ部２を構成する装置下部の筐体１６の側方（図１２左側）にヒンジ機構を介して連結されている。このヒンジ機構により、原稿載置台５が筐体１６に対して可動可能になっている。
【００８７】
図１２に示すように、原稿載置台５が上側へ開かれることにより、筐体１６の内部、すなわちプリンタ部２の内部が露出される。この状態で、インクタンク３２の交換や搬送路２３におけるジャム処理等のメンテナンスを行うことができる。操作パネル９は、原稿載置台５の上面の正面側に設けられているので、原稿載置台５とともに回動する。一方、操作パネル９のうち、液晶表示部１１を回動可能に軸支する部分、すなわち液晶表示部１１の両側の部分は原稿載置台５とともに回動せず、筐体１６に固定されている。この部分を固定部分１７と呼ぶ。
【００８８】
液晶表示部１１を操作パネル９に対して回動可能にするには、その軸１２を軸支する部分（固定部分１７）を操作パネル９に設ける必要がある。その固定部分１７に、操作キー１０Ａを配置することにより、液晶表示部１１の両側の固定部分のスペースが有効利用される。
【００８９】
以下、操作キー１０Ａと液晶表示部１１の表示との関係について説明する。液晶表示部１１は、各操作キー１０Ａに近接する領域、すなわち液晶表示部１１の画面の左右の領域に、各操作キー１０Ａにより入力され得る指令を各操作キー１０Ａに関連づけて表示する。これにより、使用者は、各操作キー１０Ａを押下することにより入力され得る指令を液晶表示部１１の表示により認識することができる。
【００９０】
図１３に示すように、液晶表示部１１の左右には、各々４つの操作キー１０Ａが配置されている。液晶表示部１１の右側に配置された４つの操作キー１３０，１３１，１３２，１３３はモードキーであり、図１４に示すように、これらを押下することにより多機能装置１の主機能選択が行われる（Ｓ１）。そして、押下された操作キー１３０，１３１，１３２，１３３に応じて、ファクシミリ機能（Ｓ２）、コピー機能（Ｓ３）、スキャナ機能（Ｓ４）、又はメディア機能（Ｓ５）が設定される。液晶表示部１１の左側に配置された４つの操作キー１３４，１３５，１３６，１３７は、各機能において各種設定を入力したり画面を移動する際に用いられる。
【００９１】
図１３に示すように、液晶表示部１１の画面は、内容表示領域１４０とキー入力表示領域１４１とを有する。内容表示領域１４０は画面の中央部に配置されている。内容表示領域１４０には、待機状態では現在の日付や時刻が表示され、各機能においては各種設定や画像が表示される。キー入力表示領域１４１は、画面の左右の端部に分かれて配置されている。キー入力表示領域１４１は、各操作キー１３０〜１３７により入力され得る指令を表示するものである。本実施の形態では、液晶表示部１１の左右両側に操作キー１３０〜１３７が配置されているので、キー入力表示領域１４１は画面の左右の端部に配置されている。なお、操作キーが液晶表示部１１の左右のいずれか一方にのみ配置されている場合には、キー入力表示領域１４１も画面の左右いずれか一方にのみ配置すればよい。
【００９２】
なお、キー入力表示領域１４１の配置は、画面の左右に限定されるものではないが、本実施の形態のように液晶表示部１１が横長矩形である場合には、液晶表示部１１の画面の左右端をキー入力表示領域１４１とすることにより、内容表示領域１４０及びキー入力表示領域１４１を共に見やすいレイアウトにすることができる。また、各操作キー１３０〜１３７及び液晶表示部１１が横長に配置されるので、これらを多機能装置１の正面側に配置する際にスペースの効率がよい。
【００９３】
キー入力表示領域１４１は、各操作キー１３０〜１３７に対応して複数のサブ領域１５０〜１５７に分割されている。各サブ領域１５０〜１５７には、最も近接する操作キー１３０〜１３７により入力され得る指令が表示される。すなわち、画面右側のキー入力表領域１４１は、画面の右側に縦一列に配置された４つの操作キー１３０〜１３３に対応して、縦に４分割されたサブ領域１５０〜１５３を有している。サブ領域１５０は、操作キー１３０に対応しており、サブ領域１５１は、操作キー１３１に対応しており、サブ領域１５２は、操作キー１３２に対応しており、サブ領域１５３は、操作キー１３３に対応している。
【００９４】
画面左側のキー入力表領域１４１は、画面の左側に縦一列に配置された４つの操作キー１３４〜１３７に対応して、縦に４分割されたサブ領域１５４〜１５７を有している。サブ領域１５４は、操作キー１３４に対応しており、サブ領域１５５は、操作キー１３５に対応しており、サブ領域１５６は、操作キー１３６に対応しており、サブ領域１５７は、操作キー１３７に対応している。これにより、使用者は、複数の操作キー１３０〜１３７のうちいずれの操作キーを押下することにより如何なる指令が入力されるかを、各サブ領域１５０〜１５７の表示により認識することができる。
【００９５】
図１３は、待機状態の多機能装置１の画面表示（第１の表示画面）を示している。図には示していないが、内容表示領域１４０には、現在の日付や時刻が表示される。サブ領域１５０には「Media」の表示がなされる。これは、操作キー１３０が押下されることにより、メディア機能が実行されることを意味する。サブ領域１５１には「COPY」の表示がなされる。これは、操作キー１３１が押下されることにより、コピー機能が実行されることを意味する。サブ領域１５２には「FAX」の表示がなされる。これは、操作キー１３２が押下されることにより、ファクシミリ機能が実行されることを意味する。サブ領域１５３には「SCAN」の表示がなされる。これは、操作キー１３３が押下されることにより、スキャナ機能が実行されることを意味する。
【００９６】
なお、サブ領域１５４〜１５７の表示は特に示していないが、待機状態において操作キー１３４〜１３７が押下されることにより入力される指令がない場合には、ブランク表示とすればよい。一方、待機状態において操作キー１３４〜１３７が押下されることにより何らかの指令が入力される場合には、その指令を意味する表示を表示させればよい。なお、本実施の形態において示した表示の順序や言語は一例であり、本発明が本実施の形態に示された表示の順序や言語に限定されないことは言うまでもない。
【００９７】
図１４に示すように、待機状態において、操作キー１３０〜１３３のいずれかが押下されることにより（Ｓ１）、制御部１００から所定のコード信号が出力され、出力されたコード信号に対応する制御がなされる。すなわち、待機状態において操作キー１３０が押下されると、メディア機能が実行可能になる（Ｓ２）。また、待機状態において操作キー１３１が押下されると、コピー機能が実行可能になる（Ｓ３）。また、待機状態において操作キー１３２が押下されると、ファクシミリ機能が実行可能になる（Ｓ４）。また、待機状態において操作キー１３３が押下されると、スキャン機能が実行可能になる（Ｓ５）。
【００９８】
制御部１００は、各操作キー１３０〜１３７により入力され得る指令を階層構造として保持している。第１の階層の指令は、各機能を選択するための選択指令であり、第２の階層の指令は、各機能における各種設定のための指令である。つまり、待機状態においてサブ領域１５０〜１５３に表示された「Media」、「COPY」、「FAX」、及び「SCAN」に基づく各指令は第１の階層を構成する。そして、第１の階層に指令に対応して、各機能の設定を入力されるための指令により第２の階層が構成されている。
【００９９】
図１５は、待機状態において「Media」の表示に対応する操作キー１３０が押下された場合の液晶表示部１１の画面表示（第２の表示画面）を示している。これによりメディア機能の実行や各種設定が行われる。メディア機能とは、スロット部８に装填された小型メモリカードに記憶された画像データを読み出して印刷等を行う機能である。この画面においても、画面中央に内容表示領域１４０が配置され、画面の左右にキー入力表示領域１４１が配置されている。キー入力表示領域１４１は、同様に、操作キー１３０〜１３７に対応して、サブ領域１５０〜１５７に分割されている。各サブ領域１５０〜１５７には、操作キー１３０〜１３７により入力され得る第２の階層の指令が表示されている。
【０１００】
図１５に示すように、内容表示領域１４０の画面上側には、第１の階層の指令を表示する機能表示領域１４２が設けられている。機能表示領域１４２には、第１の表示画面において入力された第１の階層の指令が表示される。図１５では、メディア機能を示す「Media」の表示がなされている。これにより、使用者は、各機能の設定画面（第２の表示画面）において、いずれの第１の階層の下の第２の階層の指令を行っているかを認識することができるので、操作性が向上される。
【０１０１】
図１５に示すように、内容表示領域１４０には、「View Photos」、「Print Index」、「Print All Photos」、及び「Print Photos」の４つが選択可能であることが表示される。「View Photos」は、小型メモリカードに記憶された画像データの画像を液晶表示部１１に表示させる機能である。「Print Index」は、小型メモリカードに記憶された画像データの画像をインデックスプリントする機能である。「Print All Photos」は、小型メモリカードに記憶された全画像データの画像を印刷する機能である。「Print Photos」は、小型メモリカードに記憶された画像データのうち任意の画像データの画像を選択して印刷する機能である。
【０１０２】
図１５に示すように、サブ領域１５０〜１５３には、「View Photos」、「Print Index」、「Print All Photos」、「Print Photos」がそれぞれ表示される。サブ領域１５７には、「top」が表示される。「top」の表示は、操作キー１３７が押下されることにより、図１３に示す待機画面に復帰することを意味する。この画面において、操作キー１３０〜１３３のいずれかが押下されることにより、制御部１００から所定のコード信号が出力され、出力されたコード信号に対応する制御がなされて、前述した機能がそれぞれ実行される。また、操作キー１３７が押下されることにより、制御部１００から所定のコード信号が出力され、出力されたコード信号に対応する制御がなされて、液晶表示部１１の表示が待機状態の画面となる。これにより、使用者は、操作キー１３０〜１３７をそれぞれ押下することにより、前述した各機能が実行されることを認識できる。また、各操作キー１３０〜１３７に第１の階層の指令と第２の階層の指令とを割り当てることができるので、指令数に対する操作キー数を少なくすることができる。
【０１０３】
図１６は、図１５において「View Photos」の表示に対応する操作キー１３０が押下された場合の液晶表示部１１の画面表示を示している。これにより、小型メモリカードに記憶された画像データの基づく画像を液晶表示部１１で確認することができる。液晶表示部１１の機能表示領域１４２には、メディア機能を示す「Media」の表示がなされている。また、キー入力表示領域１４１が表示されず、内容表示領域１４０が横幅を拡大して表示される。内容表示領域１４０には、小型メモリカードに記憶された画像データのうちの１つの画像データの画像が表示される。使用者は、操作キー１０Ｂに含まれるナビゲーションキーを操作することにより、別の画像データの画像を内容表示領域１４０に表示させることができる。また、ストップキーを押下することにより、画像表示が終了する。
【０１０４】
図１７(a)は、図１５において「Print Index」の表示に対応する操作キー１３１が押下された場合の液晶表示部１１の画面表示を示している。これにより、小型メモリカードに記憶された画像データの基づく画像をインデックスプリントすることができる。液晶表示部１１の機能表示領域１４２には、メディア機能を示す「Media」の表示がなされている。内容表示領域１４０には、「6 images/Line fast」及び「5 images/Line fine」の２つが選択可能であることが表示される。「6 images/Line fast」は、インデックスプリントにおいて１行当たり６画像が印刷される設定である。「5 images/Line fine」は、インデックスプリントにおいて１行当たり５画像が印刷される設定である。１行当たり５画像の場合は、１行当たり６画像の場合より印刷速度が遅いが、印刷品質がよくなる。
【０１０５】
図１７(a)に示すように、サブ領域１５０，１５１には、「6 images/Line fast」、「5 images/Line fine」がそれぞれ表示される。この画面において、操作キー１３０，１３１のいずれかが押下されることにより、制御部１００から所定のコード信号が出力され、出力されたコード信号に対応する制御がなされる。そして、図１７(b)に示す画面が表示される。この画面では、液晶表示部１１の機能表示領域１４２には、メディア機能を示す「Media」の表示がなされている。内容表示領域１４０には、「Print Range Input No.」が表示される。そして、操作キー１０Ｃに含まれるダイヤルキーによりインデックスプリントを行う画像データの範囲が入力される。そして、操作キー１０Ｂに含まれるスタートキーが押下されることにより、その設定に基づくインデックスプリントがプリンタ部２により実行される。
【０１０６】
図１８は、図１５において「Print All Photos」又は「Print Photos」の表示に対応する操作キー１３２，１３３が押下された場合の液晶表示部１１の画面表示を示している。これにより、小型メモリカードに記憶された画像データの基づく画像がプリンタ２により印刷される。液晶表示部１１の機能表示領域１４２には、メディア機能を示す「Media」の表示がなされている。
【０１０７】
内容表示領域１４０には、「Print All Photos」又は「Print Photos」において入力可能な各種設定及び現在の設定状況が表示される。具体的には、内容表示領域１４０には、「Print quality」、「Paper Size」、「Print Size」、「Brightness」、「True 2 Life」、「Cropping」、及び「Borderless」の７種類の設定が表示される。「Print quality」は、印刷品質を意味する。印刷品質として、例えば、標準又は写真のいずれかが設定可能である。内容表示領域１４０には、「Photo」が表示されており、写真画質が現在設定されていることがわかる。「Paper Size」は、記録用紙サイズを意味する。記録用紙サイズとして、例えば、Ｌ版、２Ｌ版、はがき、レター、Ａ４等が設定可能である。内容表示領域１４０には、「Letter」が表示されており、レターサイズが現在設定されていることがわかる。「Print Size」は、印刷サイズを意味する。印刷サイズとして、例えば、６インチ×４インチ等が設定可能である。内容表示領域１４０には、「6"x4"」が表示されており、６インチ×４インチが現在設定されていることがわかる。「Brightness」は、印刷画像の明るさを意味する。印刷画像の明るさとして、例えば、標準から正側又は負側に２段階で合計５段階の設定が可能である。内容表示領域１４０には、「0」が表示されており、標準が現在設定されていることがわかる。「True 2 Life」は、画質強調を意味する。画質強調として、例えば、ホワイトバランス、シャープネス及びカラー調整がそれぞれ５段階で設定可能である。内容表示領域１４０には、「Off」が表示されており、画質強調の設定が現在されていないことがわかる。「Cropping」は、画像のトリミングを意味する。内容表示領域１４０には、「Off」が表示されており、トリミングの設定が現在されていないことがわかる。「Borderless」は、縁なし印刷を意味する。内容表示領域１４０には、「Off」が表示されており、縁なし印刷の設定が現在されていないことがわかる。
【０１０８】
図１８(a)に示すように、サブ領域１５０〜１５４には、「Print quality」、「Paper Size」、「Print Size」、「Brightness」、「True 2 Life」がそれぞれ表示される。サブ領域１５５〜１５７には、「next」、「back」、「top」がそれぞれ表示される。「next」の表示は、操作キー１３５が押下されることにより、図１８(b)に示す次の設定画面に移行することを意味する。「back」の表示は、操作キー１３６が押下されることにより、一つ前の画面に戻ることを意味する。この画面において、操作キー１３０〜１３４のいずれかが押下されることにより、制御部１００から所定のコード信号が出力され、出力されたコード信号に対応する制御がなされて、前述した各設定が入力可能となる。各設定は、例えば、操作キー１０Ｂに含まれるナビゲーションキーにより選択及び決定される。
【０１０９】
図１８(a)において、操作キー１３５が押下されると、図１８(b)に示す画面に移行する。この画面では、サブ領域１５０，１５１には、「Cropping」、「Borderless」がそれぞれ表示される。サブ領域１５５〜１５７には、「next」、「back」、「top」がそれぞれ表示される。
この画面において、操作キー１３０，１３１のいずれかが押下されることにより、制御部１００から所定のコード信号が出力され、出力されたコード信号に対応する制御がなされて、前述した各設定が入力可能となる。各設定は、例えば、操作キー１０Ｂに含まれるナビゲーションキーにより選択及び決定される。このようにして各種設定が入力された後、操作キー１０Ｂに含まれるスタートキーが押下されることにより、その設定に基づく画像印刷がプリンタ部２により実行される。
【０１１０】
図１９は、待機状態において「COPY」の表示に対応する操作キー１３１が押下された場合の液晶表示部１１の画面表示（第２の表示画面）を示している。これによりコピー機能の実行や各種設定が行われる。コピー機能とは、スキャナ部３により画像読取りされた画像をプリンタ部２により印刷する機能である。この画面においても、画面中央に内容表示領域１４０が配置され、画面の左右にキー入力表示領域１４１が配置されている。キー入力表示領域１４１は、同様に、操作キー１３０〜１３７に対応して、サブ領域１５０〜１５７に分割されている。各サブ領域１５０〜１５７には、操作キー１３０〜１３７により入力され得る第２の階層の指令が表示されている。
【０１１１】
図１９に示すように、内容表示領域１４０の画面上側には、第１の階層の指令を表示する機能表示領域１４２が設けられている。機能表示領域１４２には、第１の表示画面において入力された第１の階層の指令が表示される。図１９では、コピー機能を示す「COPY」の表示がなされている。これにより、使用者は、各機能の設定画面（第２の表示画面）において、いずれの第１の階層の下の第２の階層の指令を行っているかを認識することができるので、操作性が向上される。
【０１１２】
内容表示領域１４０には、コピー機能において入力可能な各種設定及び現在の設定状況が表示される。具体的には、内容表示領域１４０には、「Quality」、「Enlarge/Reduce」、「Paper Layout」、「Paper Type」、「Paper Size」、「Stack/Sort」、「Brightness」、「Contrast」、及び「Color Adjust」の９種類の設定が表示される。「Quality」は、コピー画質を意味する。コピー画質として、例えば、高速、標準又は高画質のいずれかが設定可能である。内容表示領域１４０には、「Normal」が表示されており、標準が現在設定されていることがわかる。「Enlarge/Reduce」は、拡大コピー又は縮小コピーを意味する。拡大コピー・縮小コピーとして、例えば、Ａ４からＢ５への縮小として８６％のような設定を選択したり、所定倍率の任意の拡大率又は縮小率が設定可能である。内容表示領域１４０には、「50%」が表示されており、50%の縮小コピーが現在設定されていることがわかる。「Paper Layout」は、割付コピー又はポスターコピーを意味する。割付コピー・ポスターコピーとして、２枚又は４枚の原稿を１枚の記録用紙に割り付けることや、原稿を例えば３×３のポスターサイズに拡大して９枚の記録用紙に印刷することが設定可能である。内容表示領域１４０には、「Off」が表示されており、割付コピー・ポスターコピーが現在設定されていないことがわかる。
【０１１３】
「Paper Type」は、記録用紙の種類を意味する。記録用紙の種類として、例えば、普通紙、インクジェット光沢紙、ＯＨＰフィルムが設定可能である。内容表示領域１４０には、「Plain」が表示されており、普通紙が現在設定されていることがわかる。「Print Size」は、コピーサイズを意味する。コピーサイズとして、例えば、Ａ４サイズ、Ｂ５サイズ、はがきが設定可能である。内容表示領域１４０には、「Ａ４」が表示されており、Ａ４サイズが現在設定されていることがわかる。「Stack/Sort」は、排紙方法を意味する。排紙トレイ２１にソート機能が付加されている場合には、ソートが選択可能である。内容表示領域１４０には、「Stack」が表示されており、排紙トレイ２１に排紙する通常の排紙方法が現在設定されていることがわかる。「Brightness」は、コピーの明るさを意味する。コピーの明るさとして、例えば、標準から正側又は負側に２段階で合計５段階の設定が可能である。内容表示領域１４０には、「+2」が表示されており、正側に２段階プラスした設定が現在されていることがわかる。「Contrast」は、コピーのコントラストを意味する。コントラストとして、例えば、標準から正側又は負側に２段階で合計５段階の設定が可能である。内容表示領域１４０には、「-1」が表示されており、負側に１段階マイナスした設定が現在されていることがわかる。「Color Adjust」は、カラー設定を意味する。カラー設定として、例えば、レッド、グリーン、ブルーの各色について、標準から正側又は負側に２段階で合計５段階の設定が可能である。
【０１１４】
図１９(a)に示す画面では（第２の表示画面）では、サブ領域１５０〜１５４には、「Quality」、「Enlarge/Reduce」、「Paper Layout」、「Paper Type」、「Paper Size」がそれぞれ表示される。サブ領域１５５〜１５７には、「next」、「back」、「top」がそれぞれ表示される。図１９(b)に示す画面では（第３の表示画面）では、サブ領域１５０〜１５３には、「Stack/Sort」、「Brightness」、「Contrast」、「Color Adjust」がそれぞれ表示される。サブ領域１５５〜１５７には、「next」、「back」、「top」がそれぞれ表示される。
【０１１５】
コピー機能における第２の階層の指令は９種類の設定に対応したものであり、８つの操作キー１３０〜１３７より多い。したがって、制御部１００は、その指令の一部を図１９(a)に示す画面のサブ領域１５０〜１５４に表示させて、各操作キー１３０〜１３４に各指令を割り当て、残りの指定を図１９(b)に示す画面のサブ領域１５０〜１５３に表示させて、各操作キー１３０〜１３３に各指令を割り当てる。そして、両画面のサブ領域１５５，１５６に、これら画面の表示を切り替えるための「next」及び「back」の表示をさせて、各操作キー１３５，１３６に各指令を割り当てる。これにより、一つの操作キーに同一階層の複数の指令を割り当てることができるので、同一階層の指令数に対する操作キー数を少なくすることができる。
【０１１６】
これら画面において、操作キー１３０〜１３４のいずれかが押下されることにより、制御部１００から所定のコード信号が出力され、出力されたコード信号に対応する制御がなされて、前述した各設定が入力可能となる。各設定は、例えば、操作キー１０Ｂに含まれるナビゲーションキーにより選択及び決定される。各種設定が入力された後、コピー枚数の入力が、操作キー１０Ｃに含まれるダイヤルキーにより行われる。入力されたコピー枚数は、機能表示領域１４２に設けられたコピー枚数表示領域１４３に表示される。そして、操作キー１０Ｂに含まれるスタートキーが押下されることにより、その設定に基づくコピーがプリンタ部２及びスキャナ部３により実行される。
【０１１７】
図２０は、待機状態において「FAX」の表示に対応する操作キー１３２が押下された場合の液晶表示部１１の画面表示（第２の表示画面）を示している。これによりファクシミリ機能の実行や各種設定が行われる。ファクシミリ機能とは、スキャナ部３により画像読取りされた画像をファクシミリデータとして電話回線を通じて発信したり、電話回線を通じて受信したファクシミリデータをプリンタ部２により印刷する機能である。この画面においても、画面中央に内容表示領域１４０が配置され、画面の左右にキー入力表示領域１４１が配置されている。キー入力表示領域１４１は、同様に、操作キー１３０〜１３７に対応して、サブ領域１５０〜１５７に分割されている。各サブ領域１５０〜１５７には、操作キー１３０〜１３７により入力され得る第２の階層の指令が表示されている。
【０１１８】
図２０に示すように、内容表示領域１４０の画面上側には、第１の階層の指令を表示する機能表示領域１４２が設けられている。機能表示領域１４２には、第１の表示画面において入力された第１の階層の指令が表示される。図２０では、ファクシミリ機能を示す「FAX」の表示がなされている。これにより、使用者は、各機能の設定画面（第２の表示画面）において、いずれの第１の階層の下の第２の階層の指令を行っているかを認識することができるので、操作性が向上される。
【０１１９】
内容表示領域１４０には、ファクシミリ機能において入力可能な各種設定及び現在の設定状況が表示される。具体的には、内容表示領域１４０には、「Quick Dial」、「Outgoing & Call histry」、「Caller ID history」、「Broadcasting」、「Contrast」、「Fax Resolution」、「Delated Fax」、「Batch TX」、「Real Time TX」、「Polled TX」、「Overseas Mode」及び「Scan Size」の１２種類の設定が表示される。「Quick Dial」は、短縮ダイヤルを意味する。短縮ダイヤルは、予め設定して電話帳に登録することができる。「Outgoing & Call histry」及び「Caller ID history」は、通信管理を意味する。通信管理は、直近の送受信のレポートの印刷や送信レポート等を設定することができる。「Broadcasting」は、手動送信を意味する。手動送信はオン／オフが設定可能である。内容表示領域１４０には、「Off」が表示されており、手動送信が現在設定されていないことがわかる。「Contrast」は、原稿濃度を意味する。原稿濃度として、例えば、「自動」、「薄く」、「濃く」が設定可能である。内容表示領域１４０には、「Auto」が表示されており、自動が現在設定されていることがわかる。「Fax Resolution」は、原稿画質を意味する。原稿画質として、例えば、標準、原稿の文字が小さいときに設定される「ファイン」、原稿の文字がさらに細かいときに設定される「スーパーファイン」、原稿に写真等が含まれるときに設定される「シャシン」が設定可能である。内容表示領域１４０には、「Standard」が表示されており、標準が現在設定されていることがわかる。
【０１２０】
「Delayed Fax」は、タイマー送信を意味する。タイマー送信では、例えば、送信時刻を指定してファクシミリ送信を行うことができる。内容表示領域１４０には、「Off」が表示されており、タイマー送信が現在設定されていないことがわかる。「Batch Fax」は、とりまとめ送りを意味する。とりまとめ送りでは、例えば、同じ相手先に同じ送信時刻で複数のタイマー送信を設定している場合に、１回の通信でまとめて送るように設定することが可能である。内容表示領域１４０には、「Off」が表示されており、まとめ送りが現在設定されていないことがわかる。「Real Time TX」は、リアルタイム送信を意味する。リアルタイム送信では、直ぐに相手先にダイヤルし、原稿の画像を読取りながら送信することが可能である。内容表示領域１４０には、「Off」が表示されており、リアルタイム送信が現在設定されていないことがわかる。「Polled TX」は、ポーリング送信を意味する。ポーリング送信では、相手側のファクシミリの操作で原稿を自動的に送信することが可能である。内容表示領域１４０には、「Off」が表示されており、ポーリング送信が現在設定されていないことがわかる。「Overseas Mode」は、海外送信を意味する。海外送信では、海外へファクシミリ送信するときに、通信エラーを少なくすることが可能である。内容表示領域１４０には、「Off」が表示されており、海外送信が現在設定されていないことがわかる。「Scan Size」は、原稿サイズを意味する。原稿サイズとして、例えば、Ａ４サイズ、Ｂ５サイズ、レターサイズ等が設定可能である。内容表示領域１４０には、「Letter」が表示されており、レターサイズが現在設定されていることがわかる。
【０１２１】
図２０(a)に示す画面では（第２の表示画面）では、サブ領域１５０〜１５４には、「Quick Dial」、「Outgoing & Call histry」、「Caller ID history」、「Broadcasting」、「Contrast」がそれぞれ表示される。サブ領域１５５〜１５７には、「next」、「back」、「top」がそれぞれ表示される。図２０(b)に示す画面では（第３の表示画面）では、サブ領域１５０〜１５４には、「Fax Resolution」、「Delated Fax」、「Batch TX」、「Rea Time TX」、「Polled TX」がそれぞれ表示される。サブ領域１５５〜１５７には、「next」、「back」、「top」がそれぞれ表示される。図２０(c)に示す画面では（第３の表示画面）では、サブ領域１５０，１５１には、「Overseas Mode」、「Scan Size」がそれぞれ表示される。サブ領域１５５〜１５７には、「next」、「back」、「top」がそれぞれ表示される。
【０１２２】
ファクシミリ機能における第２の階層の指令は１２種類の設定に対応したものであり、８つの操作キー１３０〜１３７より多い。したがって、制御部１００は、その指令の一部を図２０(a)に示す画面のサブ領域１５０〜１５４に表示させて、各操作キー１３０〜１３４に各指令を割り当て、残りの指定を図２０(b)及び図２０(c)に示す画面のサブ領域１５０〜１５４にそれぞれ表示させて、各操作キー１３０〜１３４に各指令をそれぞれ割り当てる。そして、３つの画面のサブ領域１５５，１５６に、これら画面の表示を切り替えるための「next」及び「back」の表示をさせて、各操作キー１３５，１３６に各指令を割り当てる。これにより、一つの操作キーに同一階層の複数の指令を割り当てることができるので、同一階層の指令数に対する操作キー数を少なくすることができる。
【０１２３】
これら画面において、操作キー１３０〜１３４のいずれかが押下されることにより、制御部１００から所定のコード信号が出力され、出力されたコード信号に対応する制御がなされて、前述した各設定が入力可能となる。各設定は、例えば、操作キー１０Ｂに含まれるナビゲーションキーにより選択及び決定される。ファクシミリ番号は、操作キー１０Ｃに含まれるダイヤルキーにより入力される。入力されたダイヤルは、内容表示領域１４０に設けられたファクシミリ番号表示領域１４４に表示される。つづいて、操作キー１０Ｂに含まれるスタートキーが押下されることにより、その設定に基づくファクシミリ送信がプリンタ部２及びスキャナ部３により実行される。
【０１２４】
図２１(a)は、待機状態において「SCAN」の表示に対応する操作キー１３３が押下された場合の液晶表示部１１の画面表示（第２の表示画面）を示している。これによりスキャン機能の実行や各種設定が行われる。スキャン機能とは、スキャナ部３により原稿の画像読取りを行い、読み取った画像の画像データをスロット部８に装填された小型メモリカード等に記憶させる機能である。この画面においても、画面中央に内容表示領域１４０が配置され、画面の左右にキー入力表示領域１４１が配置されている。キー入力表示領域１４１は、同様に、操作キー１３０〜１３７に対応して、サブ領域１５０〜１５７に分割されている。各サブ領域１５０〜１５７には、操作キー１３０〜１３７により入力され得る第２の階層の指令が表示されている。
【０１２５】
図２１(a)に示すように、内容表示領域１４０の画面上側には、第１の階層の指令を表示する機能表示領域１４２が設けられている。機能表示領域１４２には、第１の表示画面において入力された第１の階層の指令が表示される。図２１(a)では、スキャン機能を示す「SCAN」の表示がなされている。これにより、使用者は、各機能の設定画面（第２の表示画面）において、いずれの第１の階層の下の第２の階層の指令を行っているかを認識することができるので、操作性が向上される。
【０１２６】
図２１(a)に示すように、内容表示領域１４０には、「Card」、「E-mail」、「Image」、「OCR」及び「File」の５つが選択可能であることが表示される。「Card」は、スキャナ部３で読み取った画像データを小型メモリカードに記憶させる機能である。「E-mail」は、スキャナ部３で読み取った画像データを電子メールの添付ファイルとする機能である。「Image」は、スキャナ部３により読み取った画像を、多機能装置１に接続されたコンピュータ等に表示させる機能である。「OCR」は、スキャナ部３により読み取った画像データに含まれる文字をテキストデータに変換する機能である。「File」は、スキャナ部３により読み取った画像データを所定の記憶媒体に記憶させる機能である。
【０１２７】
図２１(a)に示すように、サブ領域１５０〜１５４には、「Card」、「E-mail」、「Image」、「OCR」、「File」がそれぞれ表示される。サブ領域１５７には、「top」が表示される。この画面において、操作キー１３０〜１３４のいずれかが押下されることにより、制御部１００から所定のコード信号が出力され、出力されたコード信号に対応する制御がなされて、前述した機能がそれぞれ実行される。また、操作キー１３７が押下されることにより、制御部１００から所定のコード信号が出力され、出力されたコード信号に対応する制御がなされて、液晶表示部１１の表示が待機状態の画面となる。
【０１２８】
図２１(b)は、図２１(a)において「Card」の表示に対応する操作キー１３０が押下された場合の液晶表示部１１の画面表示を示している。これにより、スキャナ部３により読み取られた画像データがスロット部８に装填された小型メモリカードに記憶される。液晶表示部１１の機能表示領域１４２には、スキャン機能を示す「SCAN」の表示がなされている。
【０１２９】
内容表示領域１４０には、「Card」において入力可能な各種設定及び現在の設定状況が表示される。具体的には、内容表示領域１４０には、「Resolution」、「File Type」、「File Name」の設定が表示される。「Resolution」は、スキャン画質を意味する。スキャン画質として、例えば、カラー１５０dpi、カラー３００dpi、カラー６００dpi、モノクロ２００×１００dpi、モノクロ２００dpiが設定可能である。内容表示領域１４０には、「Color 300 dpi」が表示されており、カラー３００dpiが現在設定されていることがわかる。「File Type」は、画像データを保存するファイル形式を意味する。ファイル形式として、例えば、ＰＤＦ形式、ＪＰＥＧ形式、ＴＩＦＦ形式が設定可能である。内容表示領域１４０には、「JPEG」が表示されており、ＪＰＥＧ形式が現在設定されていることがわかる。「File Name」は、ファイル名を意味する。フィル名は、保存されるファイルの名前であり、任意に名前を付与することができる。
【０１３０】
この画面において、操作キー１３０〜１３２のいずれかが押下されることにより、制御部１００から所定のコード信号が出力され、出力されたコード信号に対応する制御がなされて、前述した各設定が入力可能となる。各設定は、例えば、操作キー１０Ｂに含まれるナビゲーションキーや操作キー１０Ｃに含まれるダイヤルキーにより選択、入力及び決定される。そして、操作キー１０Ｃに含まれるスタートキーが押下されることにより、その設定に基づくスキャンがスキャナ部３及びスロット部８により実行される。
【０１３１】
このように、液晶表示部１１のキー入力表示領域１４１に、液晶表示部１１の周囲に配置された操作キー１３０〜１３７により入力され得る指令が表示されるので、使用者は、キー入力表示領域１４１の表示により、各操作キー１３０〜１３７により入力される指令を認識でき、装置の操作性が向上される。また、一つの操作キーに複数の指令を割り当てることにより、指令数に対する操作キー数が削減され、各操作キー１３０〜１３７及び液晶表示部１１が配置されるスペースを小さくすることが可能になる。
【０１３２】
なお、上記各操作キー１３０〜１３７を、緑色、橙色、赤色等のような互いに異なる色に色分けし、液晶表示部１１のキー入力表示領域１４１の各サブ領域を１５０〜１５７を、各操作キー１３０〜１３７に対応すると同色に表示させることとしてもよい。これにより、使用者は、操作キー１３０〜１３７とサブ領域１５０〜１５７との位置関係の他、色により各操作キー１３０〜１３７により入力される指令が表示されたサブ領域１５０〜１５７を認識することができるので、操作性が向上される。
【０１３３】
さらに、各操作キー１３０〜１３７を透光性素材で形成し、操作キー１３０〜１３７にＬＥＤを配設することにより、各操作キー１３０〜１３７を点灯可能なものとすることもでできる。そして、制御部１００は、入力可能な指令を表示させたサブ領域１５０〜１５７に対応する操作キー１３０〜１３７のみを点灯させることとしてもよい。つまり、図１３に示すように、待機状態の操作キー１３４〜１３７に何ら指令を割り当てていない場合は、該操作キー１３４〜１３７は消灯し、操作キー１３０〜１３３のみを点灯させる。これにより、使用者は、サブ領域１５０〜１５７の表示の他、光により入力可能な操作キー１３０〜１３３を判断することができるので、操作性が向上される。
【０１３４】
なお、本実施の形態では、多機能装置１は、メディア機能、コピー機能、ファクシミリ機能、及びスキャン機能の４つの機能を有するものとしたが、本発明では、これらのうち少なくとも２つ以上の機能を有するものであればよく、これら４つの機能のすべてを必ずしも必要としないことはいうまでもない。
【０１３５】
以下、多機能装置１のプリンタ部２、スキャナ部３及び操作パネル９のレイアウトについて説明する。
図１に示すように、プリンタ部２とスキャナ部３とは、スキャナ部３を上側にして上下に配置されている。例えば、スキャナ部３をＦＢＳとして使用する際には、画像読取り毎に、原稿カバー７を開いてプラテンガラス６０に原稿を載置することになる。一方、プリンタ部２を使用する際には、複数枚の記録用紙が給紙トレイ２０に収容されるので、画像記録毎に記録用紙をセットする必要はない。つまり、プリンタ部２において給紙トレイ２０に記録用紙をセットする頻度より、スキャナ部３のプラテンガラス６０上に原稿をセットする頻度が高い。したがって、プリンタ部２に対してスキャナ部３を上側に配置することにより、原稿のセットが容易になる。また、スキャナ部３のＡＤＦ６を使用する際にも、原稿トレイ８１が装置の上面にあることにより、原稿のセットが容易になる。
【０１３６】
多機能装置１の装置全体の外形は、平面視において略正方形である。そして、プリンタ部２においては、長方形の記録用紙の長手方向が装置の奥行き方向となるようにして、記録用紙が給紙トレイ２０にセットされる。セットされた記録用紙は、装置の奥行き方向にＵターン搬送されて、画像記録部２４により画像記録が行われ、装置正面へ排出される。
【０１３７】
スキャナ部３においては、長方形の原稿の長手方向が装置の幅方向となるようにして、プラテンガラス６０上に原稿がセットされる。そして、画像読取ユニット６１がプラテンガラス６０に対して装置の幅方向に移動して画像読取りが行われる。また、ＡＤＦ６の原稿トレイ８１に原稿がセットされる。そして、装置の幅方向にＵターン搬送されて、画像読取ユニット６１により画像読取りが行われる。これにより、平面視が略正方形の多機能装置１の設置面積を小さくすることが可能である。
【０１３８】
プリンタ部２において記録可能な記録用紙の最大サイズがＡ４サイズであり、スキャナ部３において読取り可能な原稿の最大サイズがＡ４サイズとすれば、Ａ４サイズの縦横の寸法の差分のスペースを、多機能装置１の正面側に確保することができる。これにより、多機能装置１の設置面積を拡大することなく、装置の正面側に操作パネル９を配置するためのスペースが形成される。つまり、装置のスペースが有効活用され、装置全体の小型化が実現される。
【０１３９】
操作パネル９は、前述したように確保された装置上面側のスペースであって、装置上面を構成する原稿載置台５に配置されている。操作パネル９には、前述したように、操作キー１０Ａ，１０Ｂ，１０Ｃ及び液晶表示部１１が設けられている。使用者は、画像読取りや画像記録の際に、操作キー１０Ａ，１０Ｂ，１０Ｃを用いて所望の入力を行い、また、液晶表示部１１の表示を確認する。操作パネル９が、装置上面の正面側に設けられることにより、操作キー１０Ａ，１０Ｂ，１０Ｃによる入力作業や、液晶表示部１１の表示確認が容易になる。
【図面の簡単な説明】
【０１４０】
【図１】図１は、本発明の実施の形態に係る多機能装置１の外観構成を示す斜視図である。
【図２】図２は、プリンタ部２の主要構成を示す断面図である。
【図３】図３は、プリンタ部２の主要構成を示す平面図である。
【図４】図４は、原稿カバー７を開いた状態の多機能装置１の外観構成を示す斜視図である。
【図５】図５は、原稿載置台５の内部構成を示す平面図である。
【図６】図６は、原稿載置台５の内部構成を示す断面図である。
【図７】図７は、ベルト駆動機構７０の構成を示す平面図である。
【図８】図８は、多機能装置１の制御部１００の構成を示すブロック図である。
【図９】図９は、操作パネル９の構成を示す平面図である。
【図１０】図１０は、液晶表示部１１を起立姿勢にした多機能装置１の外観構成を示す斜視図である。
【図１１】図１１は、液晶表示部１１の軸１２付近の構成を示す側面図である。
【図１２】図１２は、原稿載置台５を開いた状態の多機能装置１の外観構成を示す正面図である。
【図１３】図１３は、待機状態の液晶表示部１１及び操作キー１３０〜１３７を示す平面図である。
【図１４】図１４は、主機能選択のフローチャート図である。
【図１５】図１５は、メディア機能における液晶表示部１１及び操作キー１３０〜１３７を示す平面図である。
【図１６】図１６は、メディア機能における液晶表示部１１及び操作キー１３０〜１３７を示す平面図である。
【図１７】図１７は、メディア機能における液晶表示部１１及び操作キー１３０〜１３７を示す平面図である。
【図１８】図１８は、メディア機能における液晶表示部１１及び操作キー１３０〜１３７を示す平面図である。
【図１９】図１９は、コピー機能における液晶表示部１１及び操作キー１３０〜１３７を示す平面図である。
【図２０】図２０は、ファクシミリ機能における液晶表示部１１及び操作キー１３０〜１３７を示す平面図である。
【図２１】図２１は、スキャン機能における液晶表示部１１及び操作キー１３０〜１３７を示す平面図である。
【符号の説明】
【０１４１】
１・・・多機能装置
２・・・プリンタ部（画像記録部）
３・・・スキャナ部（画像読取部）
９・・・操作パネル
１０Ａ・・・操作キー
１１・・・液晶表示部（表示部）
３０・・・記録ヘッド
６７・・・コンタクトイメージセンサ
【図１】
2007036605.tif 000003
【図２】
2007036605.tif 000004
【図３】
2007036605.tif 000005
【図４】
2007036605.tif 000006
【図５】
2007036605.tif 000007
【図６】
2007036605.tif 000008
【図７】
2007036605.tif 000009
【図８】
2007036605.tif 000010
【図９】
2007036605.tif 000011
【図１０】
2007036605.tif 000012
【図１１】
2007036605.tif 000013
【図１２】
2007036605.tif 000014
【図１３】
2007036605.tif 000015
【図１４】
2007036605.tif 000016
【図１５】
2007036605.tif 000017
【図１６】
2007036605.tif 000018
【図１７】
2007036605.tif 000019
【図１８】
2007036605.tif 000020
【図１９】
2007036605.tif 000021
【図２０】
2007036605.tif 000022
【図２１】
2007036605.tif 000023